(57)【特許請求の範囲】
【請求項１】
長尺仕切板に設けた切り込み孔に、短尺仕切板の突起部を挿入し、さらにその上に第２の短尺仕切板を載置し、順次溶接して組み立てた十字継手を有する構造物において、前記長尺仕切板と前記突起部との突合せ溶接の終始端部と、前記長尺仕切板と前記第２の短尺仕切板との隅肉溶接の終始端部とが、前記切り込み孔のコーナ部とずれて重複していないことを特徴とする十字継手を有する構造物。
【請求項２】
長尺仕切板に複数の切り込み孔を設け、この切り込み孔に挿入できる突起部を短尺仕切板に設け、前記切り込み孔へ前記突起部を下側より挿入して組み立てたのち突合せ溶接を行い、次いで、上側より第２の短尺仕切板を設置して前記長尺仕切板との間で隅肉溶接を行ない、長尺仕切板と短尺仕切板とを格子状に組合せて製造する十字継手を有する構造物の組立製造方法において、前記長尺仕切板と前記突起部との突合せ溶接の終始端部を、前記切り込み孔のコーナ部から離して溶接し、次いで、前記長尺仕切板と前記第２の短尺仕切板との間の隅肉溶接の終始端部を、前記コーナ部から離して溶接するようにしたことを特徴とする十字継手を有する構造物の組立製造方法。
【請求項３】
請求項２に記載の十字継手を有する構造物の組立製造方法において、前記突合せ溶接の開先深さを、前記長尺仕切板の板厚の２／３を超えないで、かつ前記隅肉溶接の脚長以上とし、前記隅肉溶接の脚長を、前記長尺仕切板の板厚の２／３を超えない脚長としたこと特徴とする十字継手を有する構造物の組立製造方法。
【請求項４】
請求項２に記載の十字継手を有する構造物の組立製造方法において、前記隅肉溶接と前記突合せ溶接のそれぞれの端部を、一致させないようにずらしたことを特徴とする十字継手を有する構造物の組立製造方法。
【請求項５】
請求項２に記載の十字継手を有する構造物の組立製造方法において、前記切り込み孔の両端コーナ部と、前記きり込み孔に挿入された突起部との間に、所定間隔の隙間を有することを特徴とする十字継手を有する構造物の組立製造方法。
【請求項６】
請求項２に記載の十字継手を有する構造物の組立製造方法において、前記長尺仕切板の突起部は、根本に所定Ｒ以上の丸みを形成したことを特徴とする十字継手を有する構造物の組立製造方法。
【発明の詳細な説明】
【０００１】
【発明の属する技術分野】
本発明は十字継手を有する構造物およびその組立製造方法に係り、特に、ボロン入りステンレス鋼板のように、伸びの少ない板を組合せ溶接する板構造に好適な十字継手を有する構造物およびその組立製造方法に関する。
【０００２】
【従来の技術】
従来、使用済燃料貯蔵ラックなど、十字継手を有する構造物の溶接組立方法は、例えば特開平５−８０１８９号公報記載の例がある。便宜的に図２を参照して説明すると、長尺仕切板３Ａ〜３Ｅと、下側より挿入する短尺仕切板２Ａ〜２Ｅとを栓溶接で一体化している。
【０００３】
【発明が解決しようとする課題】
このような栓溶接では溶着量が多くなり、溶着収縮応力が大きくなるという問題があった。さらに、栓溶接端部で溶接応力集中が起きるとともに、端部では溶接応力の変化が激しいので、局部的に大きく伸ばされる。この結果、高ボロン入りステンレス鋼のように伸びのない材料では、割れが発生するという欠点があった。
本発明の目的は、高ボロン入りのステンレス鋼のように、伸びの少ない材料を用いた格子状の継手を有する十字継手の溶接において、溶着量、溶接収縮力を減らし、また切り込み孔端部での応力集中を減らし、溶接ビード端部の溶接応力の変化を減らすことのできる十字継手を有する構造物およびその組立製造方法を提供することである。
【０００４】
【課題を解決するための手段】
上記目的を達成するために、本発明の特徴は、例えば高ボロン入りステンレス鋼のように、伸びの少ない材料を用いた格子状継手を有するラック等の構造物の溶接割れを防止する手段として、下側から挿入した突起部と長尺仕切板との突合せ溶接において、開先深さを板厚の２／３を超えないようにするとともに、長尺仕切板の上に設置する短尺仕切板との隅肉溶接において、脚長を板厚の２／３を超えないようにして溶接応力を小さくする。さらに、突合せ溶接のビード端部と隅肉溶接のビード端部を一致させずにずらすことにより、溶接応力の発生を急激に変化させないようにして溶接ビード割れの発生を防ぐとともに、さらに、長尺仕切板の切り込み孔のコーナ部から、上記突合せ溶接と隅肉溶接の終始端部をはずして、切り込み孔のコーナ部にかかる応力を漸減し、コーナ部に発生する割れを防止するようにした。
以下に、各請求項記載発明について説明する。
請求項１記載発明は、長尺仕切板に設けた切り込み孔に、短尺仕切板の突起部を挿入し、さらにその上に第２の短尺仕切板を載置し、順次溶接して組み立てた十字継手を有する構造物において、前記長尺仕切板と前記突起部との突合せ溶接の終始端部と、前記長尺仕切板と前記第２の短尺仕切板との隅肉溶接の終始端部とが、前記切り込み孔のコーナ部とずれて重複していないことを特徴とするものである。本構造物によれば、応力集中しやすい切り込み孔のコーナ部と、溶接の終始端部とが、ずれて一致していないので、切り込み孔のコーナ部での応力集中が減少し、溶接割れのない板構造の燃料ラック等を得られる。
また、請求項２記載発明は、長尺仕切板に複数の切り込み孔を設け、この切り込み孔に挿入できる突起部を短尺仕切板に設け、前記切り込み孔へ前記突起部を下側より挿入して組み立てたのち突合せ溶接を行い、次いで、上側より第２の短尺仕切板を設置して前記長尺仕切板との間で隅肉溶接を行ない、長尺仕切板と短尺仕切板とを格子状に組合せて製造する十字継手を有する構造物の組立製造方法において、前記長尺仕切板と前記突起部との突合せ溶接の終始端部を、前記切り込み孔のコーナ部から離して溶接し、次いで、前記長尺仕切板と前記第２の短尺仕切板との間の隅肉溶接の終始端部を、前記コーナ部から離して溶接するようにしたことを特徴とする。本方法によれば、長尺仕切板に設けた切り込み孔のコーナ部と、突合せ溶接あるいは隅肉溶接の終始端部とが重ならないので、溶接割れをなくすことができる。
また、請求項３記載発明は、前記突合せ溶接の開先深さを、前記長尺仕切板の板厚の２／３を超えないで、かつ前記隅肉溶接の脚長以上、すなわち脚長を突合せ溶接の開先深さ以下とし、前記隅肉溶接の脚長を、前記長尺仕切板の板厚の２／３を超えない脚長としたことを特徴とするので、突合せ溶接部の単位当りの溶着量を減らす一方で、隅肉溶接の脚長も小さくして溶接収縮力を軽減し、溶接割れを抑えることができる。
また、請求項４記載発明は、前記隅肉溶接と前記突合せ溶接のそれぞれの端部を、一致させないようにずらしたことを特徴とするので、溶接端部の溶接収縮力が急激に変化しないため、溶接割れの発生を防ぐことができる。
また、請求項５記載発明は、前記切り込み孔の両端コーナ部と、前記切り込み孔に挿入された突起部との間に、所定間隔の隙間を有することを特徴とするので、突起部の突合せ溶接とコーナ部とが重複しないため、コーナ部の溶接割れを防ぐことができる。
また、請求項６記載発明は、前記長尺仕切板の突起部は、根本に所定Ｒ以上の丸みを形成したことを特徴とするので、突起部根本の割れを防止でき、十字継手を有する構造物の構造強度を向上させることができる。
【０００５】
【発明の実施の形態】
以下、本発明の実施形態を、図面を参照して説明する。
図１および図２は、十字継手を有する板構造の燃料ラック組立図である。図１は、本実施形態の板構造ラックの全体斜視図、図２は、図１に示す板構造ラックのＡ−Ａ断面図である。これらの図に示すように、板構造ラックはシート１に長尺仕切底板１１を水平に設置し、次にその長尺仕切底板１１上に短尺仕切板２Ａを垂直に設置する。次にその短尺仕切板２Ａの上に長尺仕切板３Ａを設置する。長尺仕切板３Ａには切り込み孔１５をあらかじめ設けておき、短尺仕切板２Ａには突起部４を設けてある。長尺仕切板３Ａと短尺仕切板２Ａの組合せは、短尺仕切板２Ａに設けてある突起部４を、長尺仕切板３Ａに設けてある切り込み孔１５に差し込み格子状に組み合わせる。
【０００６】
図２に示すように、短尺仕切板２Ｂ〜２Ｅにも、短尺仕切板２Ａと同様に、突起部４が設けられ、また、長尺仕切板３Ｂ〜３Ｄにも、長尺仕切板３Ａと同様に、切り込み孔１５が設けてある。そして、組立てに際しては、短尺仕切板２Ｂ〜２Ｅの突起部４を、長尺仕切板３Ｂ〜３Ｄの切り込み孔１５に差し込んで格子状に組合せる。
【０００７】
ここで、参考までに、従来のラックの溶接部について説明する。図１２〜図１７は、従来の溶接部形状を説明するための図である。
図１２は、図２のＡ部について、従来の組立方法を示す詳細図である。鉛直に設置した短尺仕切板２Ｃの突起１４を浅く形成し、水平の長尺仕切板３Ｃの切り込み孔１５に開先（栓溶接）９を設定し、溶着金属１０で埋めている。
図１３〜図１５は、図１２のＥ−Ｅ断面である。図１３は、長尺仕切板３Ｃの切り込み孔１５に、短尺仕切板２Ｃの突起部１４を差し込んでいる。それにより開先９が形成されたものである。
図１４は、開先９を栓溶接して溶着金属１０が形成され、その形成された溶着金属１０の上方に、短尺仕切板２Ｄをセットした状態を示す。
図１５は、短尺仕切板２Ｄと長尺仕切板３Ｃの隅肉溶接１０を行った溶接部断面を示す。
【０００８】
図１６は、図１５のＦ−Ｆ断面を示す。図１５のＦ−Ｆ断面は、栓溶接９が実施されている。栓溶接９は、矩形で板厚相当の溶接が行なわれるので溶着量が多くなり、溶接収縮応力も大きくなる。また、切り込み孔１５の端部まで溶接されるため端部のコーナ部では応力集中が発生しやすくなる。
図１７は、図１６のＧ−Ｇ断面である。図１７では、栓溶接９の端部が、切り込み孔１５の溶接応力の発生しやすいコーナ部１６では、母材割れ１２及び溶接ビード割れ１３が発生している。
【０００９】
上記のように、この従来の方法では、長尺仕切板３Ｃに設けてある切り込み孔１５と、短尺仕切板２Ｃで形成された開先９を、栓溶接する状況になるために、溶着量が多くなり、この結果、溶接収縮力が大きくなる。しかも、溶接は、応力集中の発生しやすい切り込み孔１５のコーナ部１６まで溶接される。そのため、結果として、切り込み孔１５のコーナ部１６を起点として、母材割れ１２あるいは溶接ビード割れ１３が発生する欠点があった。
【００１０】
次に、図３〜図８を用いて、本発明の板構造の燃料ラックについて述べる。
図３は、図２のＡ部の詳細図である。水平に設置した長尺仕切板３Ｃに設けてある切り込み孔１５に、短尺仕切板２Ｃに設けてある突起部４を挿入し、格子状に組合せている。本実施形態では、突起部４は従来より高さを高くし、切り込み孔１５の両端コーナ部１６との間に、所定の隙間１７を設けている。また、突起部４の根本には、図中に点線で示すように、例えば１Ｒ程度の所定の丸み１８を形成することにより、組立強度を向上させることができる。
【００１１】
図４、図５、図６は、図３のＢ−Ｂ断面である。図４は、長尺仕切板３Ｃと短尺仕切板２Ｃの組立を示す。長尺仕切板３Ｃに設けられた切り込み孔１５には開先５が設けられ、また、短尺仕切板２Ｃには突起部４が設けられ、切り込み孔１５に差し込み、組み合わせて突合せ溶接ができるようにしてある。開先５の開先深さ、および長尺仕切板３Ｃと短尺仕切板２Ｄの隅肉溶接７の脚長は、溶着量を増加させないため、また、溶接応力の増加を防ぐために、板厚の２／３以下になるように寸法を決定し、強度不足に対しては、溶接長を長くするようにしてある。一方、長尺仕切板３Ｃとそれに垂直に載せる短尺仕切板２Ｄとの間の隅肉溶接７の脚長より開先５の深さを小さくすると、隅肉溶接７の収縮応力により、図１１に示すように、溶接部に割れ１９が発生する。このため、開先５の深さの下限は、隅肉溶接７の脚長以上にするようにした。
【００１２】
図５は、図４の長尺仕切板３Ｃに設けた開先５を、短尺仕切板２Ｃの突起部４と突合せ溶接６を行ない、その後、上方より短尺仕切板２Ｄをセットした状態を示す。
図６は、長尺仕切板３Ｃと、上方よりセットされる短尺仕切板２Ｄの隅肉溶接７を示すもので、隅肉溶接７の脚長は、短尺仕切板２Ｄおよび長尺仕切板３Ｃの板厚の２／３を超えないようにして、溶着断面積が小さくなるようにしてある。突合せ溶接６、隅肉溶接７の反対側は、強度上不足する場合で、必要ならば、隅肉溶接８を実施してもよい。
【００１３】
図７は図６のＣ−Ｃ断面で、図８は図７のＤ−Ｄ断面である。切り込み孔１５と突起部４との突合せ溶接６、および隅肉溶接７とには、溶接の影響を受けない隙間１７を３ｍｍ程度設け、切り込み孔１５の応力集中の発生しやすい端部コーナ１６に、溶接応力が直接作用しないようにし、応力集中しやすい切り込み孔１５のコーナ１６に割れが発生しないようにした。突合せ溶接６の溶着断面積の減少による強度不足については、突起部４の水平な長手方向の長さを長くし、溶接部全体強度を上げさせて確保するようにした。さらに、強度上不足する場合で、必要ならば、隅肉溶接７の反対側に隅肉溶接８を実施することもできる。
【００１４】
このように本発明では、長尺仕切板３に設けた切り込み孔１５の開先５の深さ、および隅肉溶接７の脚長は、いずれも板厚の２／３を超えず、しかも、隅肉溶接７の脚長を開先５の深さ以内にしてある。さらに、突合せ溶接６は切り込み孔１５の端部から３ｍｍ以上離すことで、応力集中の発生しやすい切り込み孔１５のコーナ部への溶接収縮力の影響を避けられ、応力集中を避けることができる。この結果、高ボロン材においても割れの発生しない溶接方法を提供できる。
【００１５】
図９は、本発明の他の実施形態を示す。本実施形態が図７の実施形態と異なるところは、長尺仕切板３Ｃと上方の短尺仕切板２Ｄの隅肉溶接７Ｃを、切り込み孔１５の長手方向の長さより大きくして、溶接端部を切り込み孔１５端部のコーナ１６より外側に外していることである。この方法では、突合せ溶接の端部と隅肉溶接の端部を一致させないようにし、また、溶接応力の分布の変化が発生しやすい溶接部端部が切り込み孔端部より離れるようにしている。このように切り込み孔１５端部で溶接ビードを止めていないので割れは起きない。
【００１６】
図１０は、本発明のさらに他の実施形態を示す。本実施形態が図７の実施形態と異なるところは、突合せ溶接６の長さより隅肉溶接７を短くしてある。突合せ溶接６の端部と隅肉溶接７端部を一致させないようにして、ビードの終始端部に発生する応力が急激に変化させないようにしてある。そのため、切り込み孔１５の端部に応力集中せずに、溶接端部に応力変化を大きくさせないので、応力が分散し割れが発生しない。
【００１７】
以上説明したように、これらの実施形態における特徴は、例えば高ボロン入りステンレス鋼のように、伸びの少ない材料を用いた格子状継手を有するラック等の構造物の溶接割れを防止する手段として、下側から挿入した突起部と長尺仕切板との突合せ溶接の開先深さと、長尺仕切板とその上に設置する短尺仕切板との隅肉溶接の脚長とを、それぞれ板厚の２／３を超えないようにし、かつ隅肉溶接の脚長を突合せ溶接の開先深さ以内として溶接応力を小さくする。さらに、突合せ溶接のビード端部と隅肉溶接のビード端部を一致させずにずらすことにより、溶接応力の発生を急激に変化させないようにして溶接ビード割れの発生を防ぐとともに、さらに、長尺仕切板の切り込み孔のコーナ部から、上記突合せ溶接と隅肉溶接の終始端部を外して、切り込み孔のコーナ部にかかる応力を漸減し、コーナ部に発生する割れを防止するようにした。
【００１８】
すなわち、図３以下に示すように、本発明における十字継手を有する燃料ラック等の構造物は、長尺仕切板３Ｃに設けた切り込み孔１５に、短尺仕切板２Ｃの突起部４を挿入し、さらにその上に上側の短尺仕切板２Ｄを載置し、順次溶接して組み立てた十字継手を有する構造物において、長尺仕切板２Ｃと突起部４との突合せ溶接６の終始端部と、長尺仕切板２Ｃと上側の短尺仕切板２Ｄとの隅肉溶接７の終始端部とが、切り込み孔１５のコーナ部１６とずれて重複していないことを特徴とし、それにより、切り込み孔１５のコーナ部１６と、溶接の終始端部とが、ずれて一致していないので、コーナ部１６での応力集中が減少し、溶接割れのない板構造の燃料ラック等を得られるのである。
【００１９】
また、本発明における溶接組立方法は、長尺仕切板３Ｃと突起部４との突合せ溶接６の終始端部を、切り込み孔１５のコーナ部１６から離して溶接し、次いで、長尺仕切板３Ｃと上側の短尺仕切板２Ｄとの間の隅肉溶接７の終始端部を、コーナ部１６から離して溶接するようにしたので、長尺仕切板３Ｃに設けた切り込み孔１５のコーナ部１６と、突合せ溶接６あるいは隅肉溶接７の終始端部とが重ならないので、溶接割れをなくすことができる。この場合、突合せ溶接６の開先５の深さと隅肉溶接７の脚長とを、それぞれ長尺仕切板３Ｃの板厚の２／３を超えないようにし、かつ隅肉溶接７の脚長を開先５の深さ以内に抑えたので、単位当りの溶着量を減らして溶接収縮力を軽減し、溶接割れを抑えることができる。また、隅肉溶接７と突合せ溶接６のそれぞれの端部をずらしたので、溶接端部の溶接収縮力が急激に変化しないため、溶接割れの発生を防ぐことができる。また、切り込み孔１５の両端コーナ部１６と突起部４との間に、３ｍｍ以上の隙間を設けたので、突合せ溶接６とコーナ部１６とが重複しないため、コーナ部１６の溶接割れを防ぐことができる。また、長尺仕切板３Ｃの突起部４は、根本に少なくとも１Ｒ以上の丸み１８を形成すると、突起部根本の割れを防止でき、十字継手を有する構造物の構造強度を向上させることができる。
【００２０】
以上の如く、これらの実施形態によれば、従来ラックの継手では溶着量が多いので溶接応力が発生し割れを引き起こしていたが、高ボロンの格子状の板構造ラックなどの継手では溶着量を増加させないため、および溶接応力の増加を防ぐために、突合せ溶接および隅肉溶接の寸法を規制し、さらに、溶着断面積の減少による強度不足については、突起部の長さを長くし、単位当りの溶接収縮力を増加させずに強度を上げさせ確保するようにした。また、強度上不足する場合で必要ならば隅肉溶接の反対側に隅肉溶接を実施することで割れの発生しない継手を提供することができる。
【００２１】
【発明の効果】
本発明によれば、例えば、高ボロン入りのステンレス鋼のように、伸びの少ない材料を用いた格子状の継手を有する十字継手を有する構造物およびその組立製造方法において、突合せ溶接および隅肉溶接の寸法を規制することにより、溶接の溶着量や溶接収縮力を減らし、また切り込み孔端部での応力集中を減らし、溶接ビード端部の溶接応力の変化を減らすことができる。
【図面の簡単な説明】
【図１】本発明の一実施形態を示す板構造燃料ラックの組立図。
【図２】図１のＡ−Ａ矢視図。
【図３】図２のＡ部拡大図。
【図４】図３のＢ−Ｂ矢視図。
【図５】図４の突合せ溶接を示す断面図。
【図６】図５の隅肉溶接を示す断面図。
【図７】図６のＣ−Ｃ矢視図で、突合せ溶接と隅肉溶接を示す側面図。
【図８】図７のＤ−Ｄ矢視図で、突合せ溶接と隅肉溶接を示す上面図。
【図９】本発明の他の実施形態の突合せ溶接と隅肉溶接を示す上面図。
【図１０】本発明のさらに他の実施形態の突合せ溶接と隅肉溶接を示す上面図。
【図１１】突合せ溶接と隅肉溶接における収縮応力による割れを示す図。
【図１２】本発明の図３に相当する従来型燃料ラックの溶接部拡大図。
【図１３】図１２のＥ−Ｅ矢視図。
【図１４】図１３の栓溶接を示す断面図。
【図１５】図１４の隅肉溶接を示す断面図。
【図１６】図１５のＦ−Ｆ矢視図。
【図１７】図１６のＧ−Ｇ矢視図。
【符号の説明】
１  板構造燃料ラックベース板
２、２Ａ、２Ｂ、２Ｃ、２Ｄ、２Ｅ  短尺仕切板
３、３Ａ、３Ｂ、３Ｃ、３Ｄ  長尺仕切板
４  突起部
５  長尺仕切板開先
６  突合せ溶接
７  隅肉溶接
８  裏溶接
９  栓溶接
１０  栓溶接溶着金属
１１  長尺仕切底板
１２  切り込み孔のコーナ部より発生する母材割れ
１３  溶接ビードに発生する割れ
１４  従来の突起部
１５  切り込み孔
１６  切り込み孔のコーナ部
１７  隙間
１８  丸み
１９  溶接部の収縮応力割れ
【図１】
0003750032.tif 000002
【図２】
0003750032.tif 000003
【図３】
0003750032.tif 000004
【図４】
0003750032.tif 000005
【図５】
0003750032.tif 000006
【図６】
0003750032.tif 000007
【図７】
0003750032.tif 000008
【図８】
0003750032.tif 000009
【図９】
0003750032.tif 000010
【図１０】
0003750032.tif 000011
【図１１】
0003750032.tif 000012
【図１２】
0003750032.tif 000013
【図１３】
0003750032.tif 000014
【図１４】
0003750032.tif 000015
【図１５】
0003750032.tif 000016
【図１６】
0003750032.tif 000017
【図１７】
0003750032.tif 000018